(57)【特許請求の範囲】
【請求項１】
固定部材と、前記固定部材に回転可能に設けられた回転部材と、を備えるつまみ構造であって、前記固定部材は、受け部を備え、前記回転部材は、前記受け部に設けられており、前記つまみ構造は、前記固定部材と前記回転部材との間に可動に設けられた少なくとも１つの可動部材をさらに備え、前記少なくとも１つの可動部材と前記固定部材との間に第１のダンパーグリスが設けられており、前記少なくとも１つの可動部材と前記回転部材との間に第２のダンパーグリスが設けられており、前記第１のダンパーグリス及び前記第２のダンパーグリスの制動及び粘性が異なり、
前記回転部材と前記固定部材との間の圧力が調節されることを特徴とするつまみ構造。
【請求項２】
前記可動部材が複数あり、複数の前記可動部材は、前記固定部材と前記回転部材との間に積層して設けられており、前記第１のダンパーグリスは、複数の前記可動部材のうち前記固定部材に近い一方と前記固定部材との間に設けられており、前記第２のダンパーグリスは、複数の前記可動部材のうち前記回転部材に近い一方と前記回転部材との間に設けられており、隣接する２つの前記可動部材間に、複数のダンパーグリス層を形成するように、第３のダンパーグリスがさらに設けられることを特徴とする請求項１に記載のつまみ構造。
【請求項３】
前記複数のダンパーグリス層による制動の大きさがそれぞれ異なることを特徴とする請求項２に記載のつまみ構造。
【請求項４】
前記つまみ構造は、調節アセンブリをさらに備え、前記調節アセンブリは、前記固定部材及び前記回転部材に接続されたガイド部材と、前記ガイド部材に可動に設けられた調節部材と、を備え、前記調節部材は、外部の力の駆動の下で、それぞれ前記回転部材及び前記固定部材との間の前記可動部材の圧力を調節するように、前記ガイド部材に対して移動可能であることを特徴とする請求項１〜３のいずれか一項に記載のつまみ構造。
【請求項５】
前記調節部材と前記ガイド部材との間はねじを介して接続され、前記調節部材を回転させることにより、前記ガイド部材に対する前記調節部材の装着位置を調整することができることを特徴とする請求項４に記載のつまみ構造。
【請求項６】
前記調節部材は、前記ガイド部材に摺動可能に設けられており、複数の係止部が前記ガイド部材に形成され、前記係止部と係止する係合部が前記調節部材に形成されており、前記調節部材は、外部の力の駆動の下で、前記ガイド部材に対する前記調節部材の装着位置を調整するように、選択可能に複数の前記係止部のうちの１つと係止可能であることを特徴とする請求項４に記載のつまみ構造。
【請求項７】
前記係止部及び前記係合部のうちの一方は溝であり、他方は前記溝と係合する係止突起であることを特徴とする請求項６に記載のつまみ構造。
【請求項８】
前記調節アセンブリは、弾性部材をさらに備え、前記弾性部材は、前記調節部材と前記回転部材との間に設けられており、前記調節部材は、外部の力の駆動の下で、前記弾性部材の弾力を調節することにより、それぞれ前記回転部材及び前記固定部材との間の前記可動部材の圧力を調節することができることを特徴とする請求項４に記載のつまみ構造。
【請求項９】
前記調節アセンブリは、押圧部材をさらに備え、前記押圧部材は、前記弾性部材と前記調節部材との間に当接することを特徴とする請求項８に記載のつまみ構造。
【請求項１０】
前記弾性部材は、前記ガイド部材に被せられる螺旋ばねであり、前記押圧部材は、前記ガイド部材に被せられる外スリーブ部材と、前記外スリーブ部材の上に形成されたフランジと、を備え、前記外スリーブ部材は、前記弾性部材の中まで挿設され、前記フランジを前記弾性部材の端部に押圧することを特徴とする請求項９に記載のつまみ構造。
【請求項１１】
前記押圧部材は、前記ガイド部材と前記外スリーブ部材との間に回転して設けられた内スリーブ部材と、前記内スリーブ部材と前記外スリーブ部材との間に設けられたローラーと、をさらに備え、前記調節部材は、前記内スリーブ部材に当接することを特徴とする請求項１０に記載のつまみ構造。
【請求項１２】
前記回転部材は、周壁と、前記周壁の一端に形成された底壁と、を備え、前記底壁は、前記固定部材の近くに設けられており、前記底壁には、係合部が設けられており、前記可動部材は、前記固定部材と前記係合部との間に設けられていることを特徴とする請求項４に記載のつまみ構造。
【請求項１３】
前記つまみ構造は、接続軸をさらに備え、前記接続軸は、前記固定部材及び前記底壁を貫通し、前記ガイド部材は、前記接続軸上に設けられていることを特徴とする請求項１２に記載のつまみ構造。
【請求項１４】
前記固定部材にスルーホールが貫通してあけられ、前記スルーホール内には、被覆部材が設けられており、前記接続軸は、前記被覆部材を貫通して前記底壁に接続し、前記接続軸は、前記被覆部材を介して前記固定部材と回転して接続することを特徴とする請求項１３に記載のつまみ構造。
【請求項１５】
前記スルーホールは、段差孔であり、段差面を有し、前記被覆部材は、前記接続軸に被せられる外スリーブ部材と、前記外スリーブ部材の上に形成されたフランジと、を備え、前記外スリーブ部材は、前記スルーホールの中に収容され、前記フランジを前記スルーホールの段差面上に押圧させることを特徴とする請求項１４に記載のつまみ構造。
【請求項１６】
前記被覆部材は、前記接続軸と前記外スリーブ部材との間に設けられた内スリーブ部材と、前記内スリーブ部材と前記外スリーブ部材との間に設けられたローラーと、をさらに備え、前記接続軸は、前記内スリーブ部材を貫通して前記内スリーブ部材と固定接続することを特徴とする請求項１５に記載のつまみ構造。
【請求項１７】
前記接続軸は、ソケット部と、前記ソケット部の両端にそれぞれ形成された挿し接ぎ部及び密着部と、を備え、前記ソケット部は、前記内スリーブ部材と固定接続し、前記挿し接ぎ部は、前記底壁を貫通して前記ガイド部材に接続し、前記密着部の直径は、前記ソケット部の直径よりも大きく、前記密着部は、前記内スリーブ部材の端部に当接することを特徴とする請求項１６に記載のつまみ構造。
【請求項１８】
前記受け部に接続部が設けられており、前記接続部に第１の収容キャビティがあけられ、前記可動部材は、前記第１の収容キャビティ内に収容され、前記係合部は、前記第１の収容キャビティの中に延伸することを特徴とする請求項１２に記載のつまみ構造。
【請求項１９】
前記第１の収容キャビティの底壁に、第１の収容溝があけられ、前記第１の収容溝は、前記第１のダンパーグリスを収容するために用いられることを特徴とする請求項１８に記載のつまみ構造。
【請求項２０】
前記第１の収容溝は、複数の同心円環溝、放射状溝、複数の凹点、複数の長尺溝、複数の曲線形溝の少なくともいずれかを含むことを特徴とする請求項１９に記載のつまみ構造。
【請求項２１】
前記底壁の前記固定部材に向いた側に第２の収容キャビティが設けられており、前記接続部は延伸して前記第２の収容キャビティの中に収容され、前記係合部は、前記第２の収容キャビティの底壁上から前記第１の収容キャビティに延伸して形成されることを特徴とする請求項１９に記載のつまみ構造。
【請求項２２】
前記第２の収容キャビティの底壁に、第２の収容溝があけられ、前記第２の収容溝は、前記第２のダンパーグリスを収容するために用いられることを特徴とする請求項２１に記載のつまみ構造。
【請求項２３】
前記第２の収容溝は、複数の同心円環溝、放射状溝、複数の凹点、複数の長尺溝、複数の曲線形溝の少なくともいずれかを含むことを特徴とする請求項２２に記載のつまみ構造。
【請求項２４】
前記固定部材と前記可動部材との間に前記第１のダンパーグリスが設けられているときの摩擦力は、前記固定部材と前記可動部材との間に前記第１のダンパーグリスが設けられていないときの摩擦力よりも小さいことを特徴とする請求項１〜２３のいずれか一項に記載のつまみ構造。
【請求項２５】
前記回転部材と前記可動部材との間に前記第２のダンパーグリスが設けられているときの摩擦力は、前記回転部材と前記可動部材との間に前記第２のダンパーグリスが設けられていないときの摩擦力よりも小さいことを特徴とする請求項１〜２３のいずれか一項に記載のつまみ構造。
【請求項２６】
前記回転部材及び前記可動部材は、それぞれ異なる硬度の材料製であることを特徴とする請求項２４又は２５に記載のつまみ構造。
【請求項２７】
制御装置と、前記制御装置に電気的に接続された角度センサと、を備えるフォローフォーカスリモートコントローラであって、
請求項１〜２６のいずれか一項に記載のつまみ構造をさらに備え、
前記角度センサは、前記つまみ構造に電気的に接続し、前記つまみ構造の回転部材の回転角度情報を感知し、前記回転角度情報を前記制御装置に伝達するために用いられ、前記制御装置は、対応する制御コマンドを発することを特徴とするフォローフォーカスリモートコントローラ。
【発明の詳細な説明】
【技術分野】
【０００１】
本発明は、つまみ構造に関し、特にハードディスクを固定するハードディスクつまみ構造及びこのつまみ構造を用いたフォローフォーカスリモートコントローラに関する。
【背景技術】
【０００２】
従来のフォローフォーカスリモートコントローラは、つまみ構造を用いて撮影装置のフォーカスをリモートコントロールする。通常の場合、前記つまみ構造は、相対的に回転可能な回転部材及び固定部材、並びに前記回転部材と前記固定部材との間に設けられたダンパーグリスを含む。前記回転部材は、プラスチックやゴムなどの弾性材料製であり、前記固定部材は、金属製であり、前記ダンパーグリスに対する前記回転部材及び前記固定部材の押圧力を調節することにより、前記回転部材と前記固定部材との間の回転抗力を調節することができ、これにより前記回転部材と前記固定部材との間の回転を比較的滑らかにする。しかしながら、前記つまみ構造における前記回転部材と前記固定部材との間の接触面積が比較的小さいため、前記ダンパーグリスの容量に限りがあり、前記ダンパーグリスに対する前記回転部材及び前記固定部材の圧力を増大させるときに、前記ダンパーグリスは、前記回転部材と前記固定部材との間から押されて溢れ出やすく、前記回転部材を前記固定部材に直接接触させ、両者の間の摩擦力が増大し、前記つまみアセンブリを調節するときの滑りが悪くなり、前記つまみアセンブリの回転角度の正確な調整に不利になり、前記カメラのフォーカスの制御にも不利になる。また、上記つまみアセンブリの制動調節範囲は比較的狭い。
【発明の概要】
【発明が解決しようとする課題】
【０００３】
これに鑑み、制動調節範囲が比較的広いつまみ構造及びこのつまみ構造を用いたフォローフォーカスリモートコントローラを提供する必要がある。
【課題を解決するための手段】
【０００４】
固定部材と、前記固定部材に回転可能に設けられた回転部材と、前記固定部材と前記回転部材との間に可動に設けられた少なくとも１つの可動部材と、を備えるつまみ構造。前記固定部材は、受け部を備え、前記回転部材は、前記受け部に設けられている。前記少なくとも１つの可動部材と前記固定部材との間に第１のダンパーグリスが設けられており、前記少なくとも１つの可動部材と前記回転部材との間に第２のダンパーグリスが設けられており、前記第１のダンパーグリス及び前記第２のダンパーグリスによる制動の大きさは異なる。
【０００５】
さらに、前記可動部材は複数あり、複数の前記可動部材は、前記固定部材と前記回転部材との間に積層して設けられており、前記第１のダンパーグリスは、複数の前記可動部材のうち前記固定部材に近い一方と前記固定部材との間に設けられており、前記第２のダンパーグリスは、複数の前記可動部材のうち前記回転部材に近い一方と前記回転部材との間に設けられており、隣接する２つの前記可動部材間に、複数のダンパーグリス層が形成されるように、第３のダンパーグリスがさらに設けられる。
【０００６】
さらに、前記複数のダンパーグリス層による制動の大きさはそれぞれ異なる。
【０００７】
一部の実施例において、前記複数のダンパーグリス層による制動の大きさはいずれも同じである。
【０００８】
一部の実施例において、前記複数のダンパーグリス層における一部のダンパーグリス層による制動の大きさは同じであり、別の一部のダンパーグリス層による制動の大きさはそれぞれ異なる。
【０００９】
さらに、前記つまみ構造は、調節アセンブリをさらに備え、前記調節アセンブリは、前記固定部材及び前記回転部材に接続されたガイド部材と、前記ガイド部材に可動に設けられた調節部材と、を備え、前記調節部材は、外部の力の駆動の下で、前記回転部材の動きを駆動することができ、それぞれ前記回転部材及び前記固定部材との間の前記可動部材の圧力を調節する。
【００１０】
さらに、前記調節部材と前記ガイド部材との間はねじを介して接続され、前記調節部材を回転させることにより、前記ガイド部材に対する前記調節部材の装着位置を調整することができる。
【００１１】
さらに、前記調節部材は、前記ガイド部材に摺動可能に設けられており、複数の係止部が前記ガイド部材に形成され、前記係止部と係止する係合部が前記調節部材に形成されており、前記調節部材は、外部の力の駆動の下で、前記ガイド部材に対する前記調節部材の装着位置を調整するように、選択可能に複数の前記係止部のうちの１つと係止可能である。
【００１２】
さらに、前記係止部及び前記係合部のうちの一方は溝であり、他方は前記溝と係合する係止突起である。
【００１３】
さらに、前記調節アセンブリは、弾性部材をさらに備え、前記弾性部材は、前記調節部材と前記回転部材との間に設けられており、前記調節部材は、外部の力の駆動の下で、前記弾性部材の弾力を調節することにより、それぞれ前記回転部材及び前記固定部材との間の前記可動部材の圧力を調節することができる。
【００１４】
さらに、前記調節アセンブリは、押圧部材をさらに備え、前記押圧部材は、前記弾性部材と前記調節部材との間に当接する。
【００１５】
さらに、前記弾性部材は、前記ガイド部材に被せられる螺旋ばねであり、前記押圧部材は、前記ガイド部材に被せられる外スリーブ部材と、前記外スリーブ部材の上に形成されたフランジと、を備え、前記外スリーブ部材は、前記弾性部材の中まで挿設され、前記フランジを前記弾性部材の端部に押圧する。
【００１６】
さらに、前記押圧部材は、前記ガイド部材と前記外スリーブ部材との間に回転して設けられた内スリーブ部材と、前記内スリーブ部材と前記外スリーブ部材との間に設けられたローラーと、をさらに備え、前記調節部材は、前記内スリーブ部材に当接する。
【００１７】
さらに、前記回転部材は、周壁と、前記周壁の一端に形成された底壁と、を備え、前記底壁は、前記固定部材の近くに設けられており、前記底壁には、係合部が設けられており、前記可動部材は、前記固定部材と前記係合部との間に設けられている。
【００１８】
さらに、前記つまみ構造は、接続軸をさらに備え、前記接続軸は、前記固定部材及び前記底壁を貫通し、前記ガイド部材は、前記接続軸上に設けられている。
【００１９】
さらに、前記固定部材にスルーホールが貫通してあけられ、前記スルーホール内には、被覆部材が設けられており、前記接続軸は、前記被覆部材を貫通して前記底壁に接続し、前記接続軸は、前記被覆部材を介して前記固定部材と回転して接続する。
【００２０】
さらに、前記スルーホールは、段差孔であり、段差面を有し、前記被覆部材は、前記接続軸に被せられる外スリーブ部材と、前記外スリーブ部材の上に形成されたフランジと、を備え、前記外スリーブ部材は、前記スルーホールの中に収容され、前記フランジを前記スルーホールの段差面上に押圧させる。
【００２１】
さらに、前記被覆部材は、前記接続軸と前記外スリーブ部材との間に設けられた内スリーブ部材と、前記内スリーブ部材と前記外スリーブ部材との間に設けられたローラーと、をさらに備え、前記接続軸は、前記内スリーブ部材を貫通して前記内スリーブ部材と固定接続する。
【００２２】
さらに、前記接続軸は、ソケット部と、前記ソケット部の両端にそれぞれ形成された挿し接ぎ部及び密着部と、を備え、前記ソケット部は、前記内スリーブ部材と固定接続し、前記挿し接ぎ部は、前記底壁を貫通して前記ガイド部材に接続し、前記密着部の直径は、前記ソケット部の直径よりも大きく、前記密着部は、前記内スリーブ部材の端部に当接する。
【００２３】
さらに、前記受け部に接続部が設けられており、前記接続部に第１の収容キャビティがあけられ、前記可動部材は、前記第１の収容キャビティ内に収容され、前記係合部は、前記第１の収容キャビティの中に延伸する。
【００２４】
さらに、前記第１の収容キャビティの底壁に、第１の収容溝があけられ、前記第１の収容溝は、前記第１のダンパーグリスを収容するために用いられる。
【００２５】
さらに、前記第１の収容溝は、複数の同心円環溝、放射状溝、複数の凹点、複数の長尺溝、複数の曲線形溝の少なくともいずれかを含む。
【００２６】
さらに、前記底壁の前記固定部材に向いた側に第２の収容キャビティが設けられており、前記接続部は延伸して前記第２の収容キャビティの中に収容され、前記係合部は、前記第２の収容キャビティの底壁上から前記第１の収容キャビティに延伸して形成される。
【００２７】
さらに、前記第２の収容キャビティの底壁に、第２の収容溝があけられ、前記第２の収容溝は、前記第２のダンパーグリスを収容するために用いられる。
【００２８】
さらに、前記第２の収容溝は、複数の同心円環溝、放射状溝、複数の凹点、複数の長尺溝、複数の曲線形溝の少なくともいずれかを含む。
【００２９】
さらに、前記固定部材と前記可動部材との間に前記第１のダンパーグリスが設けられているときの摩擦力は、前記固定部材と前記可動部材との間に前記第１のダンパーグリスが設けられていないときの摩擦力よりも小さい。
【００３０】
さらに、前記固定部材及び前記可動部材は、それぞれ異なる硬度の材料製である。
【００３１】
さらに、前記固定部材は、アルミニウム合金製であり、前記可動部材は、黄銅製である。
【００３２】
さらに、前記回転部材と前記可動部材との間に前記第２のダンパーグリスが設けられているときの摩擦力は、前記回転部材と前記部材との間に前記第２のダンパーグリスが設けられていないときの摩擦力よりも小さい。
【００３３】
さらに、前記回転部材及び前記可動部材は、それぞれ異なる硬度の材料製である。
【００３４】
さらに、前記回転部材は、アルミニウム合金製であり、前記可動部材は、黄銅製である。
【００３５】
制御装置と、前記制御装置に電気的に接続した角度センサと、前記制御装置及び前記角度センサにいずれも電気的に接続したつまみ構造と、を備えるフォローフォーカスリモートコントローラ。前記つまみ構造は、固定部材と、前記固定部材に回転可能に設けられた回転部材と、を備え、前記固定部材は、受け部を備え、前記回転部材は、前記受け部に設けられている。前記つまみ構造は、前記固定部材と前記回転部材との間に可動に設けられた少なくとも１つの可動部材をさらに含む。前記少なくとも１つの可動部材と前記固定部材との間に第１のダンパーグリスが設けられており、前記少なくとも１つの可動部材と前記回転部材との間に第２のダンパーグリスが設けられている。前記第１のダンパーグリス及び前記第２のダンパーグリスの制動は、大きさが異なり、前記角度センサは、前記つまみ構造に電気的に接続し、前記回転部材の回転角度情報を感知し、前記回転角度情報を前記制御装置に伝達するために用いられ、前記制御装置は、対応する制御コマンドを発する。
【００３６】
さらに、前記可動部材は複数あり、複数の前記可動部材は、前記固定部材と前記回転部材との間に積層して設けられており、前記第１のダンパーグリスは、複数の前記可動部材のうち前記固定部材に近い一方と前記固定部材との間に設けられており、前記第２のダンパーグリスは、複数の前記可動部材のうち前記回転部材に近い一方と前記回転部材との間に設けられており、隣接する２つの前記可動部材間に、第３のダンパーグリスがさらに設けられており、複数のダンパーグリス層が形成される。
【００３７】
さらに、前記複数のダンパーグリス層による制動の大きさはそれぞれ異なる。
【００３８】
一部の実施例において、前記複数のダンパーグリス層による制動の大きさはいずれも同じである。
【００３９】
一部の実施例において、前記可動部材の複数のダンパーグリス層における一部のダンパーグリス層による制動の大きさは同じであり、別の一部のダンパーグリス層による制動の大きさはそれぞれ異なる。
【００４０】
さらに、前記つまみ構造は、調節アセンブリをさらに備え、前記調節アセンブリは、前記固定部材及び前記回転部材に接続されたガイド部材と、前記ガイド部材に可動に設けられた調節部材と、を備え、前記調節部材は、外部の力の駆動の下で、それぞれ前記回転部材及び前記固定部材との間の前記可動部材の圧力を調節するように、前記回転部材の動きを駆動可能である。
【００４１】
さらに、前記調節部材と前記ガイド部材との間はねじを介して接続され、前記調節部材を回転させることにより、前記ガイド部材に対する前記調節部材の装着位置を調整することができる。
【００４２】
さらに、前記調節部材は、前記ガイド部材に摺動可能に設けられており、複数の係止部が前記ガイド部材に形成され、前記係止部と係止する係合部が前記調節部材に形成されており、前記調節部材は、外部の力の駆動の下で、前記ガイド部材に対する前記調節部材の装着位置を調整するように、選択可能に複数の前記係止部のうちの１つと係止することができる。
【００４３】
さらに、前記係止部及び前記係合部のうちの一方は溝であり、他方は前記溝と係合する係止突起である。
【００４４】
さらに、前記調節アセンブリは、弾性部材をさらに備え、前記弾性部材は、前記調節部材と前記回転部材との間に設けられており、前記調節部材は、外部の力の駆動の下で、前記弾性部材の弾力を調節することにより、それぞれ前記回転部材及び前記固定部材との間の前記可動部材の圧力を調節することができる。
【００４５】
さらに、前記調節アセンブリは、押圧部材をさらに備え、前記押圧部材は、前記弾性部材と前記調節部材との間に当接する。
【００４６】
さらに、前記弾性部材は、前記ガイド部材に被せられる螺旋ばねであり、前記押圧部材は、前記ガイド部材に被せられる外スリーブ部材と、前記外スリーブ部材の上に形成されたフランジと、を備え、前記外スリーブ部材は、前記弾性部材の中まで挿設され、前記フランジを前記弾性部材の端部に押圧する。
【００４７】
さらに、前記押圧部材は、前記ガイド部材と前記外スリーブ部材との間に回転して設けられた内スリーブ部材と、前記内スリーブ部材と前記外スリーブ部材との間に設けられたローラーと、をさらに備え、前記調節部材は、前記内スリーブ部材に当接する。
【００４８】
さらに、前記回転部材は、周壁と、前記周壁の一端に形成された底壁と、を備え、前記底壁は、前記固定部材の近くに設けられており、前記底壁には、係合部が設けられており、前記可動部材は、前記固定部材と前記係合部との間に設けられている。
【００４９】
さらに、前記つまみ構造は、接続軸をさらに備え、前記接続軸は、前記固定部材及び前記底壁を貫通し、前記ガイド部材は、前記接続軸上に設けられている。
【００５０】
さらに、前記固定部材にスルーホールが貫通してあけられ、前記スルーホール内には、被覆部材が設けられており、前記接続軸は、前記被覆部材を貫通して前記底壁に接続し、前記接続軸は、前記被覆部材を介して前記固定部材と回転して接続する。
【００５１】
さらに、前記スルーホールは、段差孔であり、段差面を有し、前記被覆部材は、前記接続軸に被せられる外スリーブ部材と、前記外スリーブ部材の上に形成されたフランジと、を備え、前記外スリーブ部材は、前記スルーホールの中に収容され、前記フランジを前記スルーホールの段差面上に押圧させる。
【００５２】
さらに、前記被覆部材は、前記接続軸と前記外スリーブ部材との間に設けられた内スリーブ部材と、前記内スリーブ部材と前記外スリーブ部材との間に設けられたローラーと、をさらに備え、前記接続軸は、前記内スリーブ部材を貫通して前記内スリーブ部材と固定接続する。
【００５３】
さらに、前記接続軸は、ソケット部と、前記ソケット部の両端にそれぞれ形成された挿し接ぎ部及び密着部と、を備え、前記ソケット部は、前記内スリーブ部材と固定接続し、前記挿し接ぎ部は、前記底壁を貫通して前記ガイド部材に接続し、前記密着部の直径は、前記ソケット部の直径よりも大きく、前記密着部は、前記内スリーブ部材の端部に当接する。
【００５４】
さらに、前記受け部に接続部が設けられており、前記接続部に第１の収容キャビティがあけられ、前記可動部材は、前記第１の収容キャビティ内に収容され、前記係合部は、前記第１の収容キャビティの中に延伸する。
【００５５】
さらに、前記第１の収容キャビティの底壁に、第１の収容溝があけられ、前記第１の収容溝は、前記第１のダンパーグリスを収容するために用いられる。
【００５６】
さらに、前記第１の収容溝は、複数の同心円環溝、放射状溝、複数の凹点、複数の長尺溝、複数の曲線形溝の少なくともいずれかを含む。
【００５７】
さらに、前記底壁の前記固定部材に向いた側に第２の収容キャビティが設けられており、前記接続部は延伸して前記第２の収容キャビティの中に収容され、前記係合部は、前記第２の収容キャビティの底壁上から前記第１の収容キャビティに延伸して形成される。
【００５８】
さらに、前記第２の収容キャビティの底壁に、第２の収容溝があけられ、前記第２の収容溝は、前記第２のダンパーグリスを収容するために用いられる。
【００５９】
さらに、前記第２の収容溝は、複数の同心円環溝、放射状溝、複数の凹点、複数の長尺溝、複数の曲線形溝の少なくともいずれかを含む。
【００６０】
さらに、前記固定部材と前記可動部材との間に前記第１のダンパーグリスが設けられているときの摩擦力は、前記固定部材と前記可動部材との間に前記第１のダンパーグリスが設けられていないときの摩擦力よりも小さい。
【００６１】
さらに、前記固定部材及び前記可動部材は、それぞれ異なる硬度の材料製である。
【００６２】
さらに、前記固定部材は、アルミニウム合金製であり、前記可動部材は、黄銅製である。
【００６３】
さらに、前記回転部材と前記可動部材との間に前記第２のダンパーグリスが設けられているときの摩擦力は、前記回転部材と前記部材との間に前記第２のダンパーグリスが設けられていないときの摩擦力よりも小さい。
【００６４】
さらに、前記回転部材及び前記可動部材は、それぞれ異なる硬度の材料製である。
【００６５】
さらに、前記回転部材は、アルミニウム合金製であり、前記可動部材は、黄銅製である。
【発明の効果】
【００６６】
本発明のつまみ構造は、回転部材と固定部材との間に可動部材が設けられており、可動部材と固定部材との間に前記第１のダンパーグリスが設けられており、回転部材と可動部材との間に前記第２のダンパーグリスが設けられており、第１のダンパーグリス及び第２のダンパーグリスによる制動の大きさが異なるようにし、前記ダンパーグリスに対する回転部材と固定部材の圧力が比較的小さいとき、前記第２のダンパー層が主要な制動緩衝効果を発揮し、前記ダンパーグリスに対する回転部材と固定部材の圧力が比較的大きいとき、前記第１のダンパー層が主要な制動緩衝効果を発揮し、つまみ構造の制動調節範囲を拡大する。また、つまみ構造が異なる圧力の下で動作しても、前記第１のダンパーグリス層及び前記第２のダンパーグリス層がそれぞれ異なる動作圧力に適応して制動緩衝効果を発揮するため、回転部材は、依然として固定部材に対して滑らかな回転を保持することができ、回転部材の回転角度の正確な調整に有利であり、これにより前記つまみ構造を用いたフォローフォーカスリモートコントローラが外部撮影装置のフォーカスを正確に制御することができる。
【図面の簡単な説明】
【００６７】
【図１】本発明の実施形態により提供されるフォローフォーカスリモートコントローラの構造ブロック図である。
【図２】図１で示されるフォローフォーカスリモートコントローラのつまみ構造の組立立体図である。
【図３】図２のつまみ構造の立体分解概略図である。
【図４】図２で示されるつまみ構造のＩＶ−ＩＶ線に沿った断面概略図である。
【発明を実施するための形態】
【００６８】
次の具体的な実施形態を上述した図面と合わせて、本発明についてさらに説明する。
【００６９】
以下、本発明の実施例における図面と合わせ、本発明の実施例における技術手法について、明確かつ完全に記述するが、記述する実施例は、本発明の一部の実施例に過ぎず、すべての実施例ではないことは明らかである。本発明における実施例に基づき、当業者が創造的作業を行わない前提の下で得たその他すべての実施例は、いずれも本発明の保護する範囲に属する。
【００７０】
説明が必要なことは、アセンブリが別のアセンブリに「固定」されているという場合、別のアセンブリ上に直接固定されていてもよいし、両者に他のアセンブリが存在していてもよい。アセンブリが別のアセンブリに「接続」されているという場合、別のアセンブリに直接接続されていてもよいし、両者に他のアセンブリが同時に存在していてもよい。アセンブリが別のアセンブリに「設けられている」という場合、別のアセンブリに直接設けられていてもよいし、両者に他のアセンブリが同時に存在していてもよい。本文で使用する用語である「垂直」、「水平」、「左」、「右」及び類似の表現は、説明の目的のためのものに過ぎない。
【００７１】
別段の定義がある場合を除き、本文で使用されるすべての技術用語及び科学用語は、本発明の技術分野の当業者が通常理解する意味と同じである。本文中の本発明の明細書において使用される用語は、具体的な実施例を記述する目的のためのものに過ぎず、本発明を限定することを意図したものではない。本文で使用する用語である「及び／又は」は、一つ又は複数個の列記された関連する項目のあらゆる組み合わせを含む。
【００７２】
図１に示すように、本発明の実施形態は、フォローフォーカスリモートコントローラ２００を提供し、前記フォローフォーカスリモートコントローラ２００は、ビデオカメラ、スチルカメラなどの撮影装置（図示せず）とワイヤレス接続し、前記撮影装置のフォーカスをリモートコントロールする。前記フォローフォーカスリモートコントローラ２００は、制御装置２１０と、前記制御装置２１０に電気的に接続した角度センサ２３０と、前記制御装置２１０及び前記角度センサ２３０にいずれも電気的に接続したつまみ構造１００と、を含む。外部の力によりつまみ構造１００を一定角度回転させ、前記角度センサ２３０は、前記つまみ構造１００の回転角度情報を感知し、前記回転角度情報を前記制御装置２１０に伝達することができ、前記制御装置２１０は、対応する制御コマンドを発することにより、前記撮影装置のフォーカスを制御する。
【００７３】
また、図２に示すように、つまみ構造１００は、固定アセンブリ１０と、前記固定アセンブリ１０に回転可能に接続された回転アセンブリ３０と、前記回転アセンブリ３０内に設けられた調節アセンブリ５０と、を含む。固定アセンブリ１０と回転アセンブリ３０との間にダンパーグリスが充填され、調節アセンブリ５０は、前記ダンパーグリスに対する固定アセンブリ１０及び回転アセンブリ３０の押圧力を調節するために用いられる。
【００７４】
また、図３及び図４に示すように、固定アセンブリ１０は、固定部材１２と、固定部材１２に設けられた被覆部材１４と、被覆部材１４を貫通する接続軸１６と、を含む。
【００７５】
固定部材１２は、回転アセンブリ３０及び調節アセンブリ５０を装着するために用いられる。本実施形態において、固定部材１２は、アルミニウム合金製である。固定部材１２は、受け部１２１と、受け部１２１に設けられた接続部１２３と、を含む。受け部１２１は、略円盤状を呈し、接続部１２３は、受け部１２１の一方の側の略中央部の位置に形成されている。
【００７６】
接続部１２３には、第１の収容キャビティ１２３１があけられており、第１の収容キャビティ１２３１は、回転アセンブリ３０の一部の構造を収容するために用いられる。接続部１２３は、さらに第１の収容キャビティ１２３１の略中央部の位置にスルーホール１２３３が貫通してあけられており、かつ第１の収容キャビティ１２３１の底壁には第１の収容溝１２３７があけられている。
【００７７】
本実施形態において、スルーホール１２３３は、第１の収容キャビティ１２３１に連通した第１の孔１２３４と、第１の孔１２３４に連通した第２の孔１２３５と、を含む段差孔である。第１の孔１２３４の孔径は、第２の孔１２３５の孔径よりも小さく、第１の孔１２３４と第２の孔１２３５との間に段差面１２３６を形成させる。
【００７８】
本実施形態において、第１の収容溝１２３７は、第１の収容キャビティ１２３１の底壁に凹設され、複数の環状同心溝及び放射状溝が交差して形成される。第１の収容溝１２３７は、前記ダンパーグリスを収容するために用いられる。第１の収容溝１２３７の形状は、複数の環状同心溝、又は複数の放射状溝、又は接続部１２３の底壁に凹設された複数の凹点、互いに平行した複数の長尺溝、湾曲した溝、曲線形溝、又はその他の不規則な溝形状として設計してもよいことを理解することができる。
【００７９】
被覆部材１４は、スルーホール１２３３の中に収容され、接続軸１６を固定部材１２の上に回転可能に接続するために用いられる。本実施形態において、被覆部材１４は、内スリーブ部材１４１と、ローラー１４３と、外スリーブ部材１４５と、フランジ部１４７と、を含む軸受である。
【００８０】
内スリーブ部材１４１及び外スリーブ部材１４５は、いずれも略円柱筒状を呈し、スルーホール１２３３内に同軸に設けられている。さらに、外スリーブ部材１４５は、第１の孔１２３４の内壁に固定接続され、内スリーブ部材１４１は、外スリーブ部材１４５内に収容され、外スリーブ部材１４５に対して回転可能である。複数のローラー１４３は、内スリーブ部材１４１と外スリーブ部材１４５との間に設けられている。フランジ部１４７は、外スリーブ部材１４５の一端に形成され、第２の孔１２３５内に収容されている。フランジ部１４７は、外スリーブ部材１４５の外周壁より外スリーブ部材１４５の径方向に延伸して形成されており、外スリーブ部材１４５を第１の孔１２３４の中に装着するとき、フランジ部１４７は、スルーホール１２３３の段差面１２３６に当接する。
【００８１】
接続軸１６は、被覆部材１４を貫通し、被覆部材１４の内スリーブ部材１４１に固定接続する。接続軸１６は、回転アセンブリ３０及び調節アセンブリ５０に装着され、ソケット部１６１と、ソケット部１６１の両端にそれぞれ形成された密着部１６３と、挿し接ぎ部１６５と、を含む。
【００８２】
ソケット部１６１は、略円柱状を呈し、内スリーブ部材１４１内に収容され、内スリーブ部材１４１に固定接続される。密着部１６３は、ソケット部１６１の一端に形成され、スルーホール１２３３の第２の孔１２３５内に収容される。密着部１６３の直径は、ソケット部１６１の直径よりも大きく、ソケット部１６１を内スリーブ部材１４１内に挿設するとき、密着部１６３が内スリーブ部材１４１の端部に当接する。挿し接ぎ部１６５は、ソケット部１６１における密着部１６３から離れた一端に形成され、調節アセンブリ５０を装着するために用いられる。本実施形態において、挿し接ぎ部１６５におけるソケット部１６１から離れた一端に、外ねじ接続部（図示せず）が形成されており、前記外ねじ接続部は、調節アセンブリ５０の一部の構造を接続するために用いられる。
【００８３】
回転アセンブリ３０は、固定部材１２に回転可能に接続され、回転部材３２と、可動部材３４と、を含む。回転部材３２は、接続軸１６に被せられ、固定部材１２の上に重ねられ、可動部材３４は、回転部材３２と固定部材１２との間に可動に設けられる。具体的には、図示された実施例において、回転部材３２をつまみ構造１００のつまみとし、ユーザが前記つまみを回転することにより前記撮影装置のフォーカスを制御できるようにする。
【００８４】
本実施形態において、回転部材３２は、底壁を有する略円柱筒状を呈し、周壁３２１と、周壁３２１の一端に形成された底壁３２３と、を含む。
【００８５】
周壁３２１は、略円柱筒状を呈し、スルーホール１２３３と略同軸に固定部材１２の上に設けられており、調節アセンブリ５０を収容するために用いられる。
【００８６】
底壁３２３は、周壁３２１の固定部材１２に近い一端に形成され、固定部材１２の接続部１２３の上に重ねられ、接続軸１６の挿し接ぎ部１６５を底壁３２３の略中心位置で貫通させ、周壁３２１内に延伸させることにより、接続軸１６を回転部材３２と回転可能に接続する。本実施形態において、底壁３２３は、アルミニウム合金製である。
【００８７】
底壁３２３は、接続部１２３の一方の側に向けて、第２の収容キャビティ３２４が凹設されている。本実施形態において、第２の収容キャビティ３２４は、略円形溝を呈し、固定部材１２の接続部１２３を収容するために用いられる。底壁３２３が接続軸１６に被せられ固定部材１２の上に重ねられるとき、接続部１２３が延伸して第２の収容キャビティ３２４内に収容され、第２の収容キャビティ３２４の周壁が接続部１２３の外側を囲む。さらに、底壁３２３が接続軸１６に被せられ固定部材１２の上に重ねられるとき、第２の収容キャビティ３２４の底壁と接続部１２３の頂端との間に一定の隙間が残され、調節アセンブリ５０が回転部材３２及び固定部材１２の相対距離を調節できるようにする。
【００８８】
第２の収容キャビティ３２４の底壁に、係合部３２５が延伸して形成され、係合部３２５に第２の収容溝３２７があけられている。係合部３２５は、略円環状を呈し、第１の収容キャビティ１２３１内に延伸し、第１の収容キャビティ１２３１の底壁と間隔をあけて設けられている。具体的には、図式の実施例において、第２の収容溝３２７は、係合部３２５の周縁に凹設され、２つの環状同心溝により共同で形成されている。第２の収容溝３２７は、前記ダンパーグリスを収容するために用いられる。第２の収容溝３２７の形状は、複数の放射状溝として設計しても、複数の環状同心溝及び放射状溝が交差して形成されても、係合部３２５に凹設された複数の凹点、又はその他の不規則な溝形状として設計してもよりことを理解することができる。
【００８９】
可動部材３４は、略円環片状を呈しており、固定部材１２の第１の収容キャビティ１２３１の底壁と回転部材３２の係合部３２５との間に設けられている。本実施形態において、可動部材３４は、黄銅製である。
【００９０】
可動部材３４と第１の収容キャビティ１２３１の底壁との間に、第１のダンパーグリス層（図示せず）を形成するように、第１のダンパーグリスが充填される。前記第１のダンパーグリスは、第１の制動特性を有し、具体的には、前記第１の制動特性は、前記第１のダンパーグリスの制動及び粘性として表現される。
【００９１】
可動部材と係合部３２５との間に、第２のダンパーグリス層（図示せず）を形成するように、第２のダンパーグリスが充填される。前記第２のダンパーグリスは、第２の制動特性を有し、具体的には、前記第２の制動特性は、前記第２のダンパーグリスの制動及び粘性として表現される。本実施形態において、前記第１のダンパーグリスの制動は、前記第２のダンパーグリスの制動よりも大きい。前記第１のダンパーグリスの制動は、前記第２のダンパーグリスの制動よりも小さくてもよいと理解することができる。前記第１のダンパーグリス及び前記第２のダンパーグリスを回転部材３２と固定部材１２との間に充填し、回転部材３２と固定部材１２との間の潤滑及び緩衝を実現するために用い、回転部材３２を滑らかに回転させることができ、つまみ構造１００に比較的良好な回転の感触をもたせ、つまみ構造１００の回転角度を正確に調整できるようにし、これにより前記撮影装置フォーカスを正確に制御できる。
【００９２】
調節アセンブリ５０は、挿し接ぎ部１６５が周壁３２１内に収容される一端に設けられ、固定部材１２と回転部材３２との間の相対距離を調節するために用いられ、これにより前記第１のダンパーグリス層及び前記第２のダンパーグリス層に対する固定部材１２及び回転部材３２の圧力の大きさを調節する。調節アセンブリ５０は、ガイド部材５２と、ガイド部材５２に設けられた弾性部材５４と、押圧部材５６と、調節部材５８と、を含む。
【００９３】
ガイド部材５２は、略柱状を呈し、挿し接ぎ部１６５に近い一端が接続孔５２１を形成する。接続孔５２１内に内ねじ接続部（図示せず）が形成されており、前記内ねじ接続部は、挿し接ぎ部１６５の外ねじ接続部と螺合するために用いられ、これによりガイド部材５２を接続軸１６に固定接続する。ガイド部材５２の外周には、外ねじ（図示せず）が形成されており、前記外ねじは、調節部材５８との接続に用いられる。
【００９４】
弾性部材５４は、ガイド部材５２に可動に被せられ、その一端は回転部材３２の底壁３２３に当接する。本実施形態において、弾性部材５４は、螺旋ばねである。弾性部材５４は、板ばね、弾性材料製の弾性スリーブなどのその他の弾性部材としてもよいことを理解することができる。
【００９５】
押圧部材５６は、ガイド部材５２に可動に被せられ、弾性部材５４における底壁３２３から離れた一端に位置する。押圧部材５６は、一端が弾性部材５４の端部に当接し、弾性部材５４の両端をそれぞれ底壁３２３及び押圧部材５６に当接させる。本実施形態において、押圧部材５６は、軸受である。押圧部材５６の構造は、被覆部材１４の構造と略同一であり、同様に、内スリーブ部材５６１と、ローラー５６３と、外スリーブ部材５６５と、フランジ部５６７と、を含む。外スリーブ部材５６４は、弾性部材５４の中に挿設され、フランジ部５６７は、外スリーブ部材５６５における底壁３２３から離れた一端に形成され、弾性部材５４の末端と当接する。
【００９６】
調節部材５８は、ガイド部材５２に被せられ、押圧部材５６における弾性部材５４から離れた一端に位置し、かつガイド部材５２の外ねじと螺合する。調節部材５８の一端は、押圧部材５６の内スリーブ部材５６１に当接し、調節部材５８を回転させることにより、調節部材５８に押圧部材５６を押させ、回転部材３２の底壁３２３に向かって動かせ、押圧部材５６のフランジ部５６７は、弾性部材５４に圧力を加え、弾性部材５４が圧縮される。接続軸１６が被覆部材１４によって固定部材１２と固定接続し、かつ被覆部材１４のフランジ部１４７が固定部材１２に当接し、弾性部材５４及び被覆部材１４がそれぞれ底壁３２３及び固定部材１２に対して圧力を加えることができるようにし、これにより、底壁３２３と固定部材１２との間の相対距離を小さくし、前記第１のダンパーグリス層及び前記第２のダンパーグリス層に対する底壁３２３及び固定部材１２の圧力を増大させる。
【００９７】
本発明の実施形態のつまみ構造１００を組み立てるとき、先ず、被覆部材１４を接続軸１６に被せ、接続軸１６をスルーホール１２３３に貫通させ、被覆部材１４の外スリーブ部材１４５を固定部材１２に固定接続する。次に、固定部材１２の第１の収容キャビティ１２３１の底壁に、前記第１のダンパーグリスを塗布してから、可動部材３４を第１の収容キャビティ１２３１内に装着し、可動部材３４を前記第１のダンパーグリスで覆い、前記第１のダンパーグリス層を形成する。次いで、回転部材３２の第２の収容キャビティ３２４の底壁に、前記第２のダンパーグリスを塗布し、前記第２のダンパーグリスで係合部３２５を覆う。さらに、回転部材３２を接続軸１６に被せ、第２の収容キャビティ３２４の周壁で接続部１２３の外側を覆い、係合部３２５を固定部材１２の第１の収容キャビティ１２３１内に延伸し、係合部３２５は可動部材３４に対応し、これにより、係合部３２５と可動部材３４との間で前記第２のダンパーグリス層を形成する。最後に、ガイド部材５２を接続軸１６の挿し接ぎ部１６５に接続し、弾性部材５４、押圧部材５６及び調節部材５８を、この順でガイド部材５２に被せる。
【００９８】
本発明の実施形態のつまみ構造１００を用いるとき、回転部材３２を回転させることにより、つまみ構造１００の回転角度を調節することができる。回転部材３２と固定部材１２との間の制動が大きすぎる、又は小さすぎる場合、調節部材５８を回転させることにより、調節部材５８がガイド部材５２の軸線方向に沿って相対的に底壁３２３から離れ、又は近づき、底壁３２３に対する弾性部材５４の圧力を調節することにより、回転部材３２と固定部材１２との間の相対距離を調節し、前記第１のダンパーグリス層及び前記第２のダンパーグリス層に対する底壁３２３及び固定部材１２の圧力を調整し、最終的に回転部材３２と固定部材１２との間の制動調節を実現する。
【００９９】
具体的には、回転部材３２と固定部材１２との間に比較的小さい回転制動を有することが要求される場合、調節部材５８を回転させて底壁３２３から相対的に離し、前記第１のダンパーグリス層及び前記第２のダンパーグリス層に対する係合部３２５及び固定部材１２の圧力を小さくする。回転部材３２が固定部材１２に対して回転するとき、前記第１のダンパーグリスの制動は前記第２のダンパーグリスの制動よりも大きく、可動部材３４は、前記第１のダンパー層を固定部材１２の上に粘着させることにより、回転部材３２を可動部材３４及び固定部材１２に対して回転させ、前記第２のダンパー層は、主要な制動緩衝効果を発揮する。
【０１００】
回転部材３２と固定部材１２との間に比較的大きい回転制動を有することが要求される場合、調節部材５８を回転させて底壁３２３に相対的に近くし、前記第１のダンパーグリス層及び前記第２のダンパーグリス層に対する係合部３２５及び固定部材１２の圧力を増大させる。前記第２のダンパーグリスの制動は前記第１のダンパーグリスの制動よりも大きいため、前記第２のダンパーグリスは、回転部材３２の圧力調節の過程において、先ず第２の収容溝３２７内に押圧され、係合部３２５が、可動部材３４に直接当接する。回転部材３２が固定部材１２に対して回転するとき、係合部３２５と可動部材３４との間の摩擦力は乾燥摩擦であり、摩擦力は比較的大きく、可動部材３４と固定部材１２との間は、前記第１のダンパー層の存在により、両者の間の摩擦力が比較的小さく、可動部材３４を回転部材３２の係合部３２５の上に粘着し、回転部材３２は、可動部材３４及び固定部材１２に対して回転し、前記第１のダンパー層は、主要な制動緩衝効果を発揮する。
【０１０１】
上記状態の回転部材３２と固定部材１２との間の回転制動を低下させる必要がある場合、調節部材５８を回転させ、底壁３２３から相対的に離し、外部の力を回転部材３２に加えて、係合部３２５を固定部材１２から相対的に離し、係合部３２５と可動部材３４との間に間隙が現れるようにし、前記第２のダンパーグリスは、負圧のため再度流動して係合部３２５と可動部材３４との間の間隙の中に充填される。このとき、回転部材３２を可動部材３４及び固定部材１２に対して回転させ、前記第２のダンパー層は、主要な制動緩衝効果を発揮する。
【０１０２】
本発明のつまみ構造１００は、回転部材３２と固定部材１２との間に可動部材３４が設けられており、可動部材３４と固定部材１２との間に前記第１のダンパーグリスが設けられており、回転部材３２と可動部材３４との間に前記第２のダンパーグリスが設けられており、第１のダンパーグリス及び第２のダンパーグリスによる制動の大きさが異なるようにし、前記ダンパーグリスに対する回転部材３２と固定部材１２の圧力が比較的小さいとき、前記第２のダンパー層が主要な制動緩衝効果を発揮し、前記ダンパーグリスに対する回転部材３２と固定部材１２の圧力が比較的大きいとき、前記第１のダンパー層が主要な制動緩衝効果を発揮し、つまみ構造１００の制動調節範囲を拡大する。また、つまみ構造１００が異なる圧力の下で動作しても、前記第１のダンパーグリス層及び前記第２のダンパーグリス層がそれぞれ異なる動作圧力に適応して制動緩衝効果を発揮するため、回転部材３２は、依然として固定部材に対して滑らかな回転を保持することができ、回転部材３２の回転角度の正確な調整に有利であり、前記撮影装置のフォーカスを正確に制御することができる。
【０１０３】
本実施形態において、固定部材１２及び回転部材３２の底壁３２３は、アルミニウム合金製であり、可動部材３４は、黄銅製であり、固定部材１２、回転部材３２及び可動部材３４は、異なる硬度又は異なる摩擦係数の材料製であり、その目的は、前記ダンパーグリスを固定部材１２と可動部材３４との間に充填するときに、固定部材１２と可動部材３４との間の摩擦力が、ダンパーグリスがないときの摩擦力よりも小さくなることを保証し、前記第１のダンパーグリス層及び前記第２のダンパーグリス層をそれぞれ異なる動作圧力に用いることができるようにすることである。
【０１０４】
固定部材１２及び回転部材３２の底壁３２３は、いずれも、鋼材又はその他の合金など、アルミニウム合金以外のその他の金属材料製としてもよく、プラスチック又はゴム材料製としてもよいことを理解することができる。同様に、可動部材３４は、スズ青銅、ポリオキシメチレン（ポリアセタール）又はゴムなど、黄銅以外のその他の材料製でもよく、固定部材１２と可動部材３４の硬度が異なり、回転部材３２と可動部材３４との間の硬度も異なるようにし、前記ダンパーグリスを固定部材１２と可動部材３４との間に充填するときに、固定部材１２と可動部材３４との間の摩擦力が、ダンパーグリスがないときの摩擦力よりも小さくなることを保証し、前記第１のダンパーグリス層及び前記第２のダンパーグリス層をそれぞれ異なる動作圧力に用いることができるようにする。
【０１０５】
ひいては、固定部材１２と可動部材３４との間、回転部材３２と可動部材３４との間に前記ダンパーグリスが充填されているときの摩擦力が、ダンパーグリスがないときの摩擦力よりも小さい場合に、固定部材１２、回転部材３２及び可動部材３４は、同じ種類の材料製であってもよい。
【０１０６】
可動部材３４は、１つであっても複数であってもよく、可動部材３４が複数ある場合は、回転部材３２の係合部３２５との間、固定部材１２の第１の収容キャビティ１２３１の底壁との間、及び２つの隣接する可動部材３４間に、いずれも前記ダンパーグリスが設けられ、ダンパーグリス層が形成されており、各ダンパーグリス層による制動の大きさはいずれも異なり、つまみ構造１００の回転制動の調節範囲を増大させるとともに、つまみ構造１００が異なる圧力の下で依然として滑らかな回転を保持することができることを理解することができる。
【０１０７】
例えば、可動部材３４が２つある場合、それぞれ第１の可動部材及び第２の可動部材としてもよい。前記第１の可動部材は、固定部材１２の近くに設けられており、前記第１の可動部材と第１の収容キャビティ１２３１の底壁との間に、前記第１のダンパーグリスが設けられており、前記第２の可動部材は、係合部３２５の近くに設けられており、前記第２の可動部材と係合部３２５との間に、前記第２のダンパーグリスが設けられている。回転部材３２が固定部材１２に回転して接続されている場合、前記第１の可動部材は、前記第２の可動部材と略平行に対向しており、前記第１の可動部材と前記第２の可動部材との間に第３のダンパーグリスが設けられている。前記第３のダンパーグリスの制動は、前記第２のダンパーグリスの制動よりも大きく、かつ前記第１のダンパーグリスの制動よりも小さい。前記ダンパーグリスに対する回転部材３２と固定部材１２の圧力が比較的小さいとき、回転部材３２は固定部材１２に対して回転し、前記第２のダンパーグリスの制動は前記第１のダンパーグリス及び前記第３のダンパーグリスの制動よりも小さいため、前記第１の可動部材は、前記第１のダンパーグリスを介して固定部材１２に粘着し、前記第２の可動部材は、前記第３のダンパーグリスを介して前記第１の可動部材の上に粘着し、回転部材３２は、前記第２の可動部材、前記第１の可動部材及び固定部材１２に対して回転し、前記第２のダンパーグリスは、主要な制動緩衝効果を発揮する。
【０１０８】
前記ダンパーグリスに対する回転部材３２と固定部材１２の圧力が一定の値まで増大したとき、前記第２のダンパーグリスは、回転部材３２において、先ず前記第２の収容溝３２７の中に押圧され、係合部３２５を前記第２の可動部材に直接当接させ、このとき、係合部３２５と前記第２の可動部材との間の摩擦力は増大するばかりであり、前記第２の可動部材と前記第１の可動部材との間は、前記第３のダンパーグリスの存在により、摩擦力が比較的小さく、かつ前記第１のダンパーグリスの制動は前記第３のダンパーグリスよりも大きく、前記第１の可動部材は、前記第１のダンパーグリスを介して固定部材１２に粘着するため、このとき、回転部材３２が前記第２の可動部材を動かして前記第１の可動部材及び固定部材１２に対して回転させ、前記第３のダンパーグリスは、主要な制動緩衝効果を発揮する。
【０１０９】
同様に、前記ダンパーグリスに対する回転部材３２と固定部材１２の圧力が一定の値まで増大し続けるとき、前記第２のダンパーグリス及び前記第１のダンパーグリスは、回転部材３２の回転中に、対応する収容溝の中に押され、このとき、回転部材３２が前記第２の可動部材及び前記第１の可動部材を動かし、固定部材１２に対して回転し、前記第１のダンパーグリスは、主要な制動緩衝効果を発揮する。同様に、可動部材３４の数は、３つ、４つ又はそれ以上としてもよく、本明細書においては１つ１つ説明しない。
【０１１０】
同様に理解することができることは、可動部材３４が複数ある場合は、複数の可動部材のうちの一方と回転部材３２の係合部３２５との間、複数の可動部材のうちの他方と固定部材１２の第１の収容キャビティ１２３１の底壁との間、及び２つの隣接する可動部材に、いずれもダンパーグリスが設けられ、複数のダンパーグリス層が形成されており、各ダンパーグリス層による制動の大きさはいずれも異なっていてもよく、つまみ構造１００の回転制動の調節範囲を増大させるだけでなく、つまみ構造１００が異なる圧力の下で依然として滑らかな回転を保持することができることである。例えば、複数の前記ダンパーグリス層のうちの２つのダンパーグリス層による制動の大きさは同じであり、残りのダンパーグリス層による制動の大きさはそれぞれ異なる。又は、複数の前記ダンパーグリス層のうちの３つのダンパーグリス層による制動の大きさは同じであり、残りのダンパーグリス層による制動の大きさはそれぞれ異なる。又は、複数のダンパーグリス層による制動の大きさはその他の組み合わせの形式であり、本明細書では１つ１つ説明しない。
【０１１１】
弾性部材５４及び押圧部材５６は、いずれも省略してもよいが、調節部材５８をガイド部材５２に被せ、回転部材３２の底壁３２３に当接し、調節部材５８を回転させてガイド部材５２の軸線方向に沿って移動させ、回転部材３２を押して動かせることにより、前記ダンパーグリスに対する回転部材３２及び固定部材１２の圧力を調節することを理解することができる。
【０１１２】
被覆部材１４の構造は、上記軸受構造に限られるものではなく、その他の接続構造として設け、接続軸１６を固定部材１２と回転接続させてもよいことを理解することができる。例えば、被覆部材１４は、フランジ部１４７を有するスリーブであってもよく、前記スリーブは、接続軸１６のソケット部１６１に回転可能に被せられ、前記スリーブ上のフランジ部は、固定部材１２の段差面１２３６に当接する。ひいては、被覆部材１４は、省略してもよいが、接続軸１６の密着部１６３の直径をスルーホール１２３３の第１の孔１２３４の孔径よりも大きくし、かつ第２の孔１２３５の孔径よりも小さくし、接続軸１６をスルーホール１２３３に貫通させるときに、密着部１６３が固定部材１２の段差面１２３６に当接する。同様に理解することができることは、接続軸１６が固定部材１２を貫通するとき、固定部材１２との間の接続は、固定接続であっても、回転接続であってもよく、接続軸１６が回転部材３２の底壁３２３を貫通するとき、回転部材３２との間の接続は、回転を止める摺動接続であっても、回転可能摺動可能な可動接続であってもよいことである。
【０１１３】
押圧部材５６の構造は、上記軸受構造に限られるものではなく、その他の押圧構造として設け、調節部材５８を押圧部材５６によって弾性部材５４に押圧することができ、弾性部材５４は弾性変形が生じ、前記ダンパーグリスに対する回転部材３２と固定部材１２の圧力を調節することを理解することができる。例えば、押圧部材５６は、フランジ部１４７を有するスリーブであってもよく、前記スリーブは、ガイド部材５２に回転可能に被せられ、前記スリーブ上のフランジ部は、固定部材１２の段差面１２３６に当接する。ひいては、押圧部材５６は、省略してもよいが、調節部材５８を弾性部材５４に直接押圧し、調節部材５８及び弾性部材５４によって前記ダンパーグリスに対する回転部材３２と固定部材１２の圧力を調節する。
【０１１４】
調節部材５８とガイド部材５２との間の係合は、上記のねじ係合に限られるものではなく、その他の係合構造であってもよく、調節部材５８が外部の力の駆動の下でガイド部材５２に対して摺動でき、前記外部の力がなくなった後、ガイド部材５２に相対的に固定することにより、ユーザが、ガイド部材５２に対する調節部材５８の装着位置を調整して、回転部材３２と固定部材１２との間の圧力を調節する目的を達成することを理解することができる。
【０１１５】
例えば、調節部材５８とガイド部材５２との間は係止して係合する。具体的には、ガイド部材５２に複数の係止部が形成され、前記複数の係止部は、ガイド部材５２の軸方向に沿って互いに間隔をあけて設けられている。調節部材５８は、ガイド部材５２に摺動可能に設けられており、その上に係合部が形成されている。前記係合部は、複数の前記係止部のうちの１つと係止し、調節部材５８をガイド部材５２上に位置決めする。調節部材５８を押し動かすことにより、前記係合部を複数の前記係止部のうちの一方と分離させ、複数の前記係止部のうちの他方と係合し、ガイド部材５２に対する調節部材５８の装着位置を調整することができ、これにより、回転部材３２と固定部材１２との間の圧力を調節する目的を達成する。さらに、前記係止部は、ガイド部材５２に凹設された溝であってもよく、対応して、前記係合部は、延伸して調節部材５８に形成された係止突起である。又は、前記係止部と前記調節部の係合は、フックと溝が係合した構造であってもよい。
【０１１６】
接続軸１６とガイド部材５２は、一緒に組み立てて接続しても、一体に成形してもよく、ガイド部材５２は、回転部材３２に設けられ、接続軸１６と固定部材１２とを接続することにより、調節部材５８をガイド部材５２に対して移動させ、回転部材３２と固定部材１２との間の圧力を調節することができることを理解することができる。
【０１１７】
また、当業者にとっては、本発明の技術的考え方によりその他各種の対応する変更及び改良を行うことができ、これらの変更及び改良のすべては、いずれも本発明の特許請求の範囲の保護範囲に属する。
【符号の説明】
【０１１８】
２００  フォローフォーカスリモートコントローラ
２１０  制御装置
２３０  角度センサ
１００  つまみ構造
１０  固定アセンブリ
１２  固定部材
１２１  受け部
１２３  接続部
１２３１  第１の収容キャビティ
１２３３  スルーホール
１２３４  第１の孔
１２３５  第２の孔
１２３６  段差面
１２３７  第１の収容溝
１４  被覆部材
１４１、５６１  内スリーブ部材
１４３、５６３  ローラー
１４５、５６５  外スリーブ部材
１４７、５６７  フランジ部
１６  接続軸
１６１  ソケット部
１６３  密着部
１６５  挿し接ぎ部
３０  回転アセンブリ
３２  回転部材
３２１  周壁
３２３  底壁
３２４  第２の収容キャビティ
３２５  係合部
３２７  第２の収容溝
５０  調節アセンブリ
５２  ガイド部材
５２１  接続孔
５４  弾性部材
５６  押圧部材
５８  調節部材
【図１】
0006585187.tif 000002
【図２】
0006585187.tif 000003
【図３】
0006585187.tif 000004
【図４】
0006585187.tif 000005